(57)【要約】【課題】電気的接続を行うことなく装置本体側からリモコンの電池を充電する場合に、充電のための消費電力を低減することが可能なリモコンシステムを提供する。【解決手段】このリモコンシステム１は、充電池３２と、充電池３２を充電するための電圧を発生して充電地３２を充電する二次コイル３３とを含むリモコン３０と、電気的接続を行うことなく二次コイル３３に電圧を発生させる一次コイル１９と、リモコン３０が近傍にあることを検知する光センサ１３と、光センサ１３によるリモコン３０の検知に基づいて一次コイル１９への電力の供給を開始するように電源部１８を制御する制御回路部２１とを含むＤＶＤ再生装置１０とを備えている。【選択図】図４
2008288921.tif 000002
【特許請求の範囲】
【請求項１】
充電可能な電池と、前記電池を充電するための電圧を発生して前記電池を充電する充電部とを含むリモコンと、
電気的接続を行うことなく前記充電部に電圧を発生させる充電電圧発生部と、前記リモコンが近傍にあることを検知する検知手段と、前記検知手段による前記リモコンの検知に基づいて前記充電電圧発生部への電力の供給を開始するように電源部を制御する制御部とを含む装置本体とを備えた、リモコンシステム。
【請求項２】
前記リモコンは、前記電池の充電が完了したことを知らせる信号を無線通信により送信する送信部をさらに含み、
前記装置本体は、前記送信部から送信される前記信号を無線通信により受信する受信部をさらに含み、
前記制御部は、前記受信部が受信する前記信号に基づいて、前記充電電圧発生部への電力の供給を停止するように前記電源部を制御するように構成されている、請求項１に記載のリモコンシステム。
【請求項３】
前記充電電圧発生部は、磁界を変化させるための一次コイルであり、
前記充電部は、前記一次コイルにより変化された磁界によって電圧を発生する二次コイルである、請求項１または２に記載のリモコンシステム。
【請求項４】
前記送信部および前記受信部は、それぞれ赤外線通信による無線通信を行う送信部および受信部を含む、請求項１〜３のいずれか１項に記載のリモコンシステム。
【請求項５】
前記受信部は、前記装置本体の前面部と上面部とのコーナ部に配置されている、請求項１〜４のいずれか１項に記載のリモコンシステム。
【発明の詳細な説明】
【技術分野】
【０００１】
この発明は、リモコンシステムに関し、特に、充電可能な電池を有するリモコンを備えたリモコンシステムに関する。
【背景技術】
【０００２】
従来、充電可能な電池を有するリモコンを備えたリモコンシステムが知られている（たとえば、特許文献１および２参照）。
【０００３】
上記特許文献１には、二次電池（充電可能な電池）と、二次電池の充電を行うことが可能な充電用入力部とを含むリモコン装置と、充電用入力部に電圧を発生させる充電用出力部を含む電子機器本体（装置本体）とを備えるリモコンシステムが開示されている。この特許文献１によるリモコンシステムでは、電子機器本体の充電用出力部に電力が常時供給されている状態において、リモコン装置の充電用入力部が、電子機器本体の充電用出力部に電気的に接続されることなく電気的に非接触な状態で電圧を発生し、リモコン装置の二次電池を充電するように構成されている。
【０００４】
また、上記特許文献２には、充電用電池を含むリモコンと、充電用電池を充電するための充電装置を含むテレビ（装置本体）とを備えるリモコンシステムが開示されている。この特許文献２によるリモコンシステムでは、テレビの充電装置に電力が常時供給されている状態において、充電装置に電気的に接続されることなく電気的に非接触な状態で、リモコンの充電用電池が充電されるように構成されている。
【０００５】
【特許文献１】特開２００２−９５０６７号公報
【特許文献２】実開平７−１１０７７号公報
【発明の開示】
【発明が解決しようとする課題】
【０００６】
しかしながら、上記特許文献１に記載のリモコンシステムでは、電子機器本体の充電用出力部に電力が常時供給されている状態において、リモコン装置の充電用入力部が電圧を発生し、リモコン装置の二次電池を充電するので、充電のために電子機器本体の充電用出力部に電力を常時供給しておく必要があり、その結果、充電のための消費電力が大きくなるという問題点がある。
【０００７】
また、上記特許文献２に記載のリモコンシステムでは、テレビの充電装置に電力が常時供給されている状態において、充電装置に電気的に接続されることなくリモコンの充電用電池が充電されるので、充電のためにテレビの充電装置に電力を常時供給しておく必要があり、その結果、充電のための消費電力が大きくなるという問題点がある。
【０００８】
この発明は、上記のような課題を解決するためになされたものであり、この発明の１つの目的は、電気的接続を行うことなく装置本体側からリモコンの電池を充電する場合に、充電のための消費電力を低減することが可能なリモコンシステムを提供することである。
【課題を解決するための手段および発明の効果】
【０００９】
この発明の一の局面によるリモコンシステムは、充電可能な電池と、電池を充電するための電圧を発生して電池を充電する充電部とを含むリモコンと、電気的接続を行うことなく充電部に電圧を発生させる充電電圧発生部と、リモコンが近傍にあることを検知する検知手段と、検知手段によるリモコンの検知に基づいて充電電圧発生部への電力の供給を開始するように電源部を制御する制御部とを含む装置本体とを備えている。
【００１０】
この一の局面によるリモコンシステムでは、上記のように、リモコンに、充電可能な電池と、電池を充電するための電圧を発生して電池を充電する充電部とを設けるとともに、装置本体に、電気的接続を行うことなく充電部に電圧を発生させる充電電圧発生部を設けることによって、充電部が電気的接続を行うことなく充電電圧発生部によって発生された電圧により、電池を充電することができるので、電気的接続を行うことなく装置本体側からリモコンの電池を充電することができる。また、装置本体に、リモコンが近傍にあることを検知する検知手段と、検知手段によるリモコンの検知に基づいて充電電圧発生部への電力の供給を開始するように電源部を制御する制御部とを設けることによって、制御部が、充電電圧発生部への電力の供給を開始するタイミングを判断することができるので、充電電圧発生部に電力を常時供給しておく必要がなく、その結果、充電のための消費電力を低減することができる。
【００１１】
上記一の局面によるリモコンシステムにおいて、好ましくは、リモコンは、電池の充電が完了したことを知らせる信号を無線通信により送信する送信部をさらに含み、装置本体は、送信部から送信される信号を無線通信により受信する受信部をさらに含み、制御部は、受信部が受信する信号に基づいて、充電電圧発生部への電力の供給を停止するように電源部を制御するように構成されている。このように構成すれば、リモコンの電池の充電が完了した場合に、充電電圧発生部への電力の供給が停止されるので、充電のための消費電力をより低減することができる。
【００１２】
上記一の局面によるリモコンシステムにおいて、好ましくは、充電電圧発生部は、磁界を変化させるための一次コイルであり、充電部は、一次コイルにより変化された磁界によって電圧を発生する二次コイルである。このように構成すれば、一次コイルにより、二次コイルに電磁誘導による誘起電圧が発生されて、二次コイルによりリモコンの電池を充電することができるので、容易に、電気的接続を行うことなく装置本体側からリモコンの電池を充電することができる。
【００１３】
上記一の局面によるリモコンシステムにおいて、好ましくは、送信部および受信部は、それぞれ赤外線通信による無線通信を行う送信部および受信部を含む。このように構成すれば、送信部および受信部は、それぞれ赤外線通信による信号の送信および受信を行うことができるので、容易に、無線通信を行うことができる。
【００１４】
上記一の局面によるリモコンシステムにおいて、好ましくは、受信部は、装置本体の前面部と上面部とのコーナ部に配置されている。このように構成すれば、リモコンが装置本体の前面側にある場合、および、リモコンが装置本体の上面側にある場合の両方の場合において、送信部から送信される信号を装置本体の受信部に到達させることができるので、リモコンによる操作時およびリモコンの充電時の両方の場合に、リモコンの送信部からの信号を装置本体に送信することができる。
【発明を実施するための最良の形態】
【００１５】
以下、本発明を具体化した実施形態を図面に基づいて説明する。
【００１６】
図１は、本発明の一実施形態によるＤＶＤ再生装置とリモコンとを備えるリモコンシステムの全体構成を示した斜視図である。図２は、図１に示した一実施形態によるＤＶＤ再生装置とリモコンとを備えるリモコンシステムの充電時の状態を示した斜視図である。図３〜図５は、図１に示した本発明の一実施形態によるＤＶＤ再生装置とリモコンとを備えるリモコンシステムの詳細な構成を示した図である。図１〜図５を参照して、本発明の一実施形態によるＤＶＤ再生装置１０とリモコン３０とを備えるリモコンシステム１の構成について説明する。なお、本実施形態では、リモコンシステムの一例であるＤＶＤ再生装置１０とリモコン３０とを備えるリモコンシステム１に本発明を適用した場合について説明する。また、ＤＶＤ再生装置１０は、本発明の「装置本体」の一例である。
【００１７】
本発明の一実施形態によるリモコンシステム１は、図１および図２に示すように、図示しないＤＶＤ（デジタル多用途ディスク）の再生が可能なＤＶＤ再生装置１０と、ＤＶＤ再生装置１０を遠隔操作することが可能なリモコン３０とにより構成されている。
【００１８】
また、ＤＶＤ再生装置１０の前面部には、ＤＶＤ（図示せず）を挿入するＤＩＳＣ挿入部１１と、ＤＶＤ再生装置１０の電源ボタン１２とが設けられている。また、図１〜図３に示すように、ＤＶＤ再生装置１０の上面部には、後述する反射型の光センサ１３（図４および図５参照）を透過することが可能なように、透明樹脂で形成されたセンサカバー１４（図１および図３参照）が設けられている。また、図１〜図５に示すように、ＤＶＤ再生装置１０の前面部と上面部とのコーナ部には、赤外線通信用の受信部１５（図４および図５参照）が設けられるとともに、受信部１５を覆うように受信部カバー１６が配置されている。
【００１９】
また、ＤＩＳＣ挿入部１１は、ＤＶＤ（図示せず）を容易に挿入することが可能なように、ＤＶＤ再生装置１０の内部から外側にＤＶＤを配置するトレイ（図示せず）が出るように構成されている。また、光センサ１３は、リモコン３０が近傍に配置されたことを検知するとともに、ＤＶＤ再生装置１０の内部に、上記したセンサカバー１４に対向するように配置されている。また、この検知は、光センサ１３が、図５に示すように、光を上方に向けて出射し、その出射された光がセンサカバー１４を介してリモコン３０の表面により反射されて、光センサ１３がその反射光をセンサカバー１４を介して受光することによって行われる。また、受信部１５は、リモコン３０の赤外線通信用の送信部３１（図２、図４および図５参照）から送信される信号を受信するように構成されている。
【００２０】
また、受信部カバー１６は、赤外線通信の信号を透過することが可能なように構成されている。また、図１〜図５に示すように、受信部カバー１６のＤＶＤ再生装置１０の上面部側は、リモコン３０がＤＶＤ再生装置１０の上面に配置されている場合に、リモコン３０の送信部３１から送信される信号が受信部１５に到達するのが可能なように、ＤＶＤ再生装置１０の後方側に伸びるように所定の大きさに形成されている。また、受信部カバー１６のＤＶＤ再生装置１０の前面部側は、リモコン３０がＤＶＤ再生装置１０の前面側に配置されている場合に、リモコン３０の送信部３１から送信される信号が受信部１５に到達するのが可能なように形成されている。
【００２１】
ここで、本実施形態では、図４および図５に示すように、ＤＶＤ再生装置１０は、図示しないコンセントから電源プラグ１７を介して電力の供給を受け、ＤＶＤ再生装置１０の各構成要素に電力を供給する電源部１８と、コイル状に形成される一次コイル１９と、ＤＶＤ再生装置機能部２０と、ＤＶＤ再生装置１０の全体を制御する制御回路部２１とを有している。なお、一次コイル１９は、本発明の「充電電圧発生部」の一例であり、制御回路部２１は、本発明の「制御部」の一例である。
【００２２】
また、一次コイル１９は、ＤＶＤ再生装置１０の内部の上部側に設けられ、通電された場合に、電磁誘導により周囲の磁界を変化させることが可能なように構成されている。また、ＤＶＤ再生装置機能部２０は、ＤＩＳＣ挿入部１１に挿入されたＤＶＤ（図示せず）から映像データを読み取り、読み取った映像データに基づいた映像を再生する機能を有している。
【００２３】
また、本実施形態では、光センサ１３が、リモコン３０がＤＶＤ再生装置１０の近傍に配置されたことを検知した場合に、その検知に基づいて、制御回路部２１は一次コイル１９への電力の供給を開始するように電源部１８を制御するように構成されている。さらに、制御回路部２１は、受信部１５が受信する所定の信号に基づいて、一次コイル１９への電力の供給を停止するように電源部１８を制御することが可能なように構成されている。
【００２４】
また、リモコン３０は、上記した送信部３１と、充電することが可能な充電池３２と、コイル状に形成される二次コイル３３と、ＤＶＤ再生装置１０の各機能を遠隔操作するためのリモコン機能部３４と、リモコン３０の全体を制御する制御回路部３５とを有している。また、リモコン３０は、表面が光センサ１３から出射される光を反射することが可能なように構成されている。なお、充電池３２は、本発明の「電池」の一例であり、二次コイル３３は、本発明の「充電部」の一例である。
【００２５】
また、本実施形態では、リモコン３０が、ＤＶＤ再生装置１０の上面のリモコン配置領域２２（図１および図３参照）に配置された場合に、二次コイル３３は、一次コイル１９により変化された磁界によって、電磁誘導による誘起電圧が発生するように構成されている。すなわち、リモコン３０が、ＤＶＤ再生装置１０の上面のリモコン配置領域２２（図１および図３参照）に配置された場合に、一次コイル１９は、電気的接続を行うことなく、電磁誘導によって二次コイル３３に電圧を発生させることが可能である。また、二次コイル３３は、リモコン３０の内部の下部側に設けられている。これにより、ＤＶＤ再生装置１０の内部の上部側に設けられた一次コイル１９との距離を近接させることができるので、電磁誘導による電圧発生の効率を高めることが可能である。なお、リモコン配置領域２２は、本実施形態によるリモコンシステム１において、電磁誘導による充電池３２の充電を効率よく行うことが可能なリモコン３０の配置を示した領域である。また、リモコン配置領域２２は、リモコン３０がＤＶＤ再生装置１０の上面に配置された場合に、光センサ１３によって確実に検知される領域である。また、二次コイル３３は、充電池３２を充電するために充電池３２に電気的に接続されている。
【００２６】
また、リモコン機能部３４は、ユーザがＤＶＤ再生装置１０のＤＶＤ再生装置機能部２０を遠隔操作するための複数の操作ボタン３４ａ（図１および図２参照）を含むように構成されている。
【００２７】
また、充電池３２の充電が完了した場合に、制御回路部３５は、充電が完了したことを検知し、充電池３２の充電が完了したことを知らせる充電完了信号を送信するように送信部３１を制御するように構成されている。これにより、充電池３２の充電が完了した場合に、受信部１５が、充電が完了したことを知らせる充電完了信号を受信し、その充電完了信号に基づいて、ＤＶＤ再生装置１０の制御回路部２１が一次コイル１９への電力の供給を停止するように電源部１８を制御することが可能である。さらに、制御回路部３５は、操作ボタン３４ａがユーザにより押圧された場合には、各操作ボタン３４ａに割り当てられた機能に基づいて、操作信号を送信するように送信部３１を制御するように構成されている。
【００２８】
図６は、図１に示した一実施形態によるＤＶＤ再生装置とリモコンとを備えるリモコンシステムの充電池を充電する動作について説明するためのフロー図である。次に、図６を参照して、本発明の一実施形態によるリモコンシステム１の充電池３２の充電動作について説明する。
【００２９】
まず、図６に示すように、ステップＳ１において、光センサ１３によってリモコン３０が検知されたか否かが判断され、検知されていないと判断された場合には、この判断が繰り返される。一方、リモコン３０が検知されたと判断された場合には、ステップＳ２において、電源部１８から一次コイル１９への電力の供給が開始される。そして、ステップＳ３において、電力が供給された一次コイル１９による電磁誘導によって周辺の磁界が変化され、ステップＳ４において、二次コイル３３に誘起電圧が発生される。そして、ステップＳ５において、二次コイル３３に発生した電圧によって充電池３２の充電が開始される。その後、ステップＳ６において、充電池３２の充電が完了したか否かが判断され、充電が完了していないと判断された場合には、この判断が繰り返される。一方、充電が完了したと判断された場合には、ステップＳ７において、送信部３１から充電が完了したことを知らせる充電完了信号が送信される。そして、ステップＳ８において、受信部１５によって充電完了信号が受信されたか否かが判断され、受信されていないと判断された場合には、この判断が繰り返される。一方、受信部１５によって充電完了信号が受信されたと判断された場合には、ステップＳ９において、受信部１５が受信した充電完了信号に基づいて、電源部１８から一次コイル１９への電力の供給が停止され、動作が終了される。
【００３０】
本実施形態では、上記のように、リモコン３０に、充電池３２と、充電池３２を充電するための電圧を発生して充電池３２を充電する二次コイル３３とを設けるとともに、ＤＶＤ再生装置１０に、電気的接続を行うことなく二次コイル３３に電圧を発生させる一次コイル１９を設けることによって、二次コイル３３が電気的接続を行うことなく一次コイル１９により発生された電圧によって充電池３２を充電することができるので、電気的接続を行うことなくＤＶＤ再生装置１０の側からリモコン３０の充電池３２を充電することができる。また、ＤＶＤ再生装置１０に、リモコン３０が近傍にあることを検知する光センサ１３と、光センサ１３によるリモコン３０の検知に基づいて一次コイル１９への電力の供給を開始するように電源部１８を制御する制御回路部２１とを設けることによって、制御回路部２１が、一次コイル１９への電力の供給を開始するタイミングを判断することができるので、一次コイル１９に電力を常時供給しておく必要がなく、その結果、充電のための消費電力を低減することができる。
【００３１】
また、本実施形態では、リモコン３０に、充電池３２の充電が完了したことを知らせる充電完了信号を赤外線通信により送信する送信部３１を設け、ＤＶＤ再生装置１０に、送信部３１から送信される信号を赤外線通信により受信する受信部１５を設け、ＤＶＤ再生装置１０の制御回路部２１を、受信部１５が受信する信号に基づいて、一次コイル１９への電力の供給を停止するように電源部１８を制御するように構成することによって、リモコン３０の充電池３２の充電が完了した場合に、一次コイル１９への電力の供給が停止されるので、充電のための消費電力を低減することができる。
【００３２】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００３３】
たとえば、上記実施形態では、リモコンシステムの一例としてＤＶＤ再生装置とリモコンとを備えるリモコンシステムを示したが、本発明はこれに限らず、充電可能な電池を有するリモコンを備えたリモコンシステムであれば、ＤＶＤ再生装置とリモコンとを備えるリモコンシステム以外の他のリモコンシステムにも適用可能である。
【００３４】
また、上記実施形態では、リモコンが近傍にあることを検知する検知手段の一例として、反射型の光センサを示したが、本発明はこれに限らず、リモコンが近傍にあることを検知することが可能な検知手段であれば、反射型の光センサ以外の他の検知手段であってもよい。
【００３５】
また、上記実施形態では、リモコンが電池の充電が完了したことを知らせる信号を送信し、制御部が受信部が受信するその信号に基づいて、充電電圧発生部への電力の供給を停止する例を示したが、本発明はこれに限らず、充電が完了した後に充電電圧発生部への電力の供給を停止することが可能であれば、たとえば、充電電圧発生部への電力の供給が開始されてから所定の時間経過後に電力の供給を停止するようにしてもよい。
【００３６】
また、上記実施形態では、無線通信の一例として、赤外線通信を示したが、本発明はこれに限らず、リモコンから送信される信号を受信部に伝達することが可能な無線通信であれば、赤外線通信以外の他の無線通信であってもよい。
【００３７】
また、上記実施形態では、電磁誘導によって充電電圧発生部が充電部に電圧を発生させる例を示したが、本発明はこれに限らず、電気的接続を行うことなく充電部に電圧を発生させることが可能であれば、電磁誘導以外の他の方法によって充電部に電圧を発生させてもよい。
【００３８】
また、上記実施形態では、充電電圧発生部および充電部の一例として、それぞれコイル状に形成される一次コイルおよび二次コイルを示したが、本発明はこれに限らず、たとえば、それぞれ平面的に渦巻き状に形成される平面コイルを用いて、装置本体の上面全体に配置してもよい。これにより、装置本体の上面のどこにリモコンを配置した場合にも、充電電圧発生部により充電部に電圧を発生させることが可能である。
【図面の簡単な説明】
【００３９】
【図１】本発明の一実施形態によるＤＶＤ再生装置とリモコンとを備えるリモコンシステムの全体構成を示した斜視図である。
【図２】図１に示した一実施形態によるＤＶＤ再生装置とリモコンとを備えるリモコンシステムの充電時の状態を示した斜視図である。
【図３】図１に示した一実施形態によるＤＶＤ再生装置とリモコンとを備えるリモコンシステムのＤＶＤ再生装置の上面を示した平面図である。
【図４】図１に示した一実施形態によるＤＶＤ再生装置とリモコンとを備えるリモコンシステムの構成を示すブロック図である。
【図５】図１に示した一実施形態によるＤＶＤ再生装置とリモコンとを備えるリモコンシステムの構成を示すブロック図である。
【図６】図１に示した一実施形態によるＤＶＤ再生装置とリモコンとを備えるリモコンシステムの充電池を充電する動作について説明するためのフロー図である。
【符号の説明】
【００４０】
１        リモコンシステム
１０      ＤＶＤ再生装置（装置本体）
１５      受信部
１８      電源部
１９      一次コイル（充電電圧発生部）
２１      制御回路部（制御部）
３０      リモコン
３１      送信部
３２      充電池（電池）
３３      二次コイル（充電部）
【図１】
2008288921.tif 000003
【図２】
2008288921.tif 000004
【図３】
2008288921.tif 000005
【図４】
2008288921.tif 000006
【図５】
2008288921.tif 000007
【図６】
2008288921.tif 000008